(57)【要約】【課題】一体となった状態の食物及び食物用ピックに振動等の負荷が加わった際に、食物用ピックに対する食物の移動を抑制することのできる食物用ピックを提供する。また、この食物用ピックを用いた盛り合わせられた食物の支持構造、食物の盛り合わせ製品、食物の盛り合わせ製品の製造方法及び食物の盛り合わせ製品の運搬方法を提供する。【解決手段】食物用ピック３０において、一端側に食物が固定される棒状の本体３２と、本体３２の一端側に形成された雄ねじ部３３と、を備え、雄ねじ部３３にねじ込まれた状態で食物が固定されるようにした。【選択図】図３
2018064714.tif 000002
【特許請求の範囲】
【請求項１】
一端側に食物が固定される棒状の本体と、
前記本体の一端側に形成された雄ねじ部と、を備えた食物用ピック。
【請求項２】
前記本体における前記雄ねじ部よりも他端側に形成され、前記本体から径方向外側へ延びるフランジ部を備えた請求項１に記載の食物用ピック。
【請求項３】
前記フランジ部は、前記雄ねじ部の他端側端部に形成される請求項２に記載の食物用ピック。
【請求項４】
前記本体の他端側は、先端に向かって細くなるよう形成されている請求項１から３のいずれか１項に記載の食物用ピック。
【請求項５】
複数の食物と、
前記各食物が一端側に固定される複数の食物用ピックと、
前記各食料用ピックの他端側を支持する支持部と、を備え、
前記各食物用ピックの少なくとも一つを、請求項１から４のいずれか１項に記載された食物用ピックとした盛り合わせられた食物の支持構造。
【請求項６】
複数の食物と、
前記各食物が一端側に固定される複数の食物用ピックと、
前記各食料用ピックの他端側を支持する支持部と、
前記支持部が内部に配置される容器と、を備え、
前記各食物用ピックの少なくとも一つを、請求項１から４のいずれか１項に記載された食物用ピックとした食物の盛り合わせ製品。
【請求項７】
請求項６に記載の食物の盛り合わせ製品の製造方法であって、
前記各食物用ピックの前記本体を回転させ、前記雄ねじ部を前記各食物にねじ込む工程を含む食物の盛り合わせ製品の製造方法。
【請求項８】
複数の食物と、前記各食物が一端側に固定される複数の食物用ピックと、前記各食料用ピックの他端側を支持する支持部と、前記支持部が内部に配置される容器と、を備えた食物の盛り合わせ製品の運搬方法であって、
前記各食物用ピックの少なくとも一つを請求項１から４のいずれか１項に記載された食物用ピックとし、当該食物用ピックに固定される食物を当該食物用ピックの前記雄ねじ部にねじ込ませた状態とする食物の盛り合わせ製品の運搬方法。
【発明の詳細な説明】
【技術分野】
【０００１】
本発明は、食物用ピック、盛り合わせられた食物の支持構造、食物の盛り合わせ製品、食物の盛り合わせ製品の製造方法及び食物の盛り合わせ製品の運搬方法に関する。
【背景技術】
【０００２】
一般に、食物用ピックは、一端側に食物が固定される棒状の本体を有し、本体の一端側は先端に向かって細くなるよう形成される（例えば、特許文献１参照。）特許文献１に記載の食物用ピックは、食物と一体となって、「ひも付き風船」、「一本の草木」等の特定の一形態を形成する。
【先行技術文献】
【特許文献】
【０００３】
【特許文献１】登録実用新案第３１２７７４４号公報
【発明の概要】
【発明が解決しようとする課題】
【０００４】
ところで、一体となった状態の食物及び食物用ピックの運搬に際し、振動等の負荷が加わると、食物が食物用ピックの所期の固定位置からずれたり、食物用ピックから脱落するおそれがある。
【０００５】
本発明は、上記事情に鑑みてなされたものであり、一体となった状態の食物及び食物用ピックに振動等の負荷が加わった際に、食物用ピックに対する食物の移動を抑制することのできる食物用ピックを提供することを目的とする。また、この食物用ピックを用いた盛り合わせられた食物の支持構造、食物の盛り合わせ製品、食物の盛り合わせ製品の製造方法及び食物の盛り合わせ製品の運搬方法を提供することを目的とする。
【課題を解決するための手段】
【０００６】
上記目的を達成するため、本発明では、一端側に食物が固定される棒状の本体と、前記本体の一端側に形成された雄ねじ部と、を備えた食物用ピックが提供される。
【０００７】
この食物用ピックによれば、食物の固定に際し、本体の一端側先端を食物に接触させ、雄ねじ部の締め付け方向に本体を回転させる。これにより、雄ねじ部を食物にねじ込ませ、本体の一端側に食物を固定することができる。このとき、食物の中身が損なわれることはない。
このように、雄ねじ部にねじ込まれた状態で食物が固定されているので、雄ねじ部により食物の本体の軸方向への移動が規制される。従って、振動等の負荷が加わった際に、食物用ピックに対する食物の移動を抑制することができる。
【０００８】
上記食物用ピックにおいて、前記本体における前記雄ねじ部よりも他端側に形成され、前記本体から径方向外側へ延びるフランジ部を備えてもよい。
【０００９】
この食物用ピックによれば、食物の固定に際し、フランジ部に食物の表面を接触させることで食物の位置決めを行うことができる。
また、フランジ部と接触した状態で食物が固定されているので、フランジ部により食物の本体の他端側への移動が規制される。従って、振動等の負荷が加わった際に、食物用ピックに対する食物の他端側への移動を抑制することができる。
【００１０】
上記食物用ピックにおいて、前記フランジ部は、前記雄ねじ部の他端側端部に形成されてもよい。
【００１１】
この食物用ピックによれば、食物の表面と接触するフランジ部まで雄ねじ部が形成されているので、食物にねじ込まれる雄ねじ部の区間をより長くすることができる。
【００１２】
上記食物用ピックにおいて、前記本体の他端側は、先端に向かって細くなるよう形成されていてもよい。
【００１３】
この食物用ピックによれば、本体の他端側を他の部材等に突き刺して固定することができる。
【００１４】
また、本発明では、複数の食物と、前記各食物が一端側に固定される複数の食物用ピックと、前記各食料用ピックの他端側を支持する支持部と、を備え、前記各食物用ピックの少なくとも一つを、上記食物用ピックとした盛り合わせられた食物の支持構造が提供される。
【００１５】
さらに、本発明では、複数の食物と、前記各食物が一端側に固定される複数の食物用ピックと、前記各食料用ピックの他端側を支持する支持部と、前記支持部が内部に配置される容器と、を備え、前記各食物用ピックの少なくとも一つを、上記食物用ピックとした食物の盛り合わせ製品が提供される。
【００１６】
さらにまた、本発明では、上記食物の盛り合わせ製品の製造方法であって、前記各食物用ピックの前記本体を回転させ、前記雄ねじ部を前記各食物にねじ込む工程を含む食物の盛り合わせ製品の製造方法が提供される。
【００１７】
さらにまた、本発明では、複数の食物と、前記各食物が一端側に固定される複数の食物用ピックと、前記各食料用ピックの他端側を支持する支持部と、前記支持部が内部に配置される容器と、を備えた食物の盛り合わせ製品の運搬方法であって、前記各食物用ピックの少なくとも一つを上記食物用ピックとし、当該食物用ピックに固定される食物を当該食物用ピックの前記雄ねじ部にねじ込ませた状態とする食物の盛り合わせ製品の運搬方法が提供される。
【発明の効果】
【００１８】
本発明によれば、一体となった状態の食物及び食物用ピックに振動等の負荷が加わった際に、食物用ピックに対する食物の移動を抑制することができる。
【図面の簡単な説明】
【００１９】
【図１】本発明の一実施形態を示すカットフルーツ盛り合わせ製品の外観図である。
【図２】カットフルーツ盛り合わせ製品の内部を示す模式図である。
【図３】第１フルーツ用ピックの正面図である。
【図４】第２フルーツ用ピックの正面図である。
【図５】第３フルーツ用ピックの正面図である。
【図６】第４フルーツ用ピックの正面図である。
【図７】第１フルーツ用ピックにカットフルーツを固定する様子を示す説明図である。
【図８】第２フルーツ用ピックにカットフルーツを固定する様子を示す説明図である。
【図９】第１フルーツ用ピックに固定されたカットフルーツの断面図である。
【図１０】第３フルーツ用ピックにカットフルーツを固定する様子を示す説明図である。
【図１１】第４フルーツ用ピックにカットフルーツを固定する様子を示す説明図である。
【図１２】容器内の支持部に各フルーツ用ピックを固定する様子を示す説明図である。
【発明を実施するための形態】
【００２０】
図１から図１２は本発明の一実施形態を示し、図１はカットフルーツ盛り合わせ製品の外観図、図２はカットフルーツ盛り合わせ製品の内部を示す模式図である。
図１に示すように、このカットフルーツの盛り合わせ製品１００は、持ち運び可能な容器１０に、複数種類のカットフルーツＡ，Ｇ，Ｋ，Ｏ，Ｐが盛り合わされたものである。図２に示すように、カットフルーツの盛り合わせ製品１００は、上方を開口した容器１０と、容器１０の内部に配置される支持部材２０と、支持部材２０により支持される複数のフルーツ用ピック３０，４０，５０，６０と、各フルーツ用ピック３０，４０，５０，６０の一端側にそれぞれ固定されたカットフルーツＡ，Ｇ，Ｋ，Ｏ，Ｐと、支持部材２０上に配置される装飾食材８０と、を有する。
【００２１】
図１に示すように、容器１０は、例えば金属製であり、上方を開口した円筒状の本体１１と、本体１１の上部に接続された把持部１２と、を有する。図２に示すように、本体１１の内側は、全面的にプラスチック製のカバー１３により覆われている。
【００２２】
支持部材２０は、例えば発泡ウレタンからなり、各フルーツ用ピック３０，４０，５０，６０の他端側が差し込まれると、差し込まれた姿勢で各フルーツ用ピック３０，４０，５０，６０を支持する。支持部材２０の上部、装飾食材８０により覆われている。本実施形態においては、装飾食材８０はパセリである。
【００２３】
図３は第１フルーツ用ピックの正面図、図４は第２フルーツ用ピックの正面図、図５は第３フルーツ用ピックの正面図、図６は第４フルーツ用ピックの正面図である。
図３から図６に示すように、各フルーツ用ピック３０，４０，５０，６０は、例えばプラスチック製であり、それぞれ棒状の本体３２，４２，５２，６２を有し、本体３１の一端側にカットフルーツＡ，Ｇ，Ｋ，Ｏ，Ｐが固定される。本実施形態のカットフルーツの盛り合わせ製品１００では、４種類のフルーツ用ピック３０，４０，５０，６０が使用される。
【００２４】
図３に示すように、第１フルーツ用ピック３０は、本体３２の一端側の所定区間に形成された雄ねじ部３３と、本体３２における雄ねじ部３３よりも他端側に形成され径方向外側へ延びるフランジ部３４と、を有する。本実施形態においては、フランジ部３４は、雄ねじ部３３の他端側端部に形成されている。本体３２の断面は、フランジ部３４よりも一端側が略円形に形成され、フランジ部３４よりも他端側が略正方形状に形成される。本体３２の一端側には、先端に向かって細くなるよう形成されたフルーツ用縮径部３５が形成される。また、本体３２の他端側にも、先端に向かって細くなるよう形成された支持部材用縮径部３６が形成される。
【００２５】
図４に示すように、第２フルーツ用ピック４０は、第１フルーツ用ピック３０よりも短く形成され、本体４２の一端側の所定区間に形成された雄ねじ部４３と、本体４２における雄ねじ部４３よりも他端側に形成され径方向外側へ延びるフランジ部４４と、を有する。本実施形態においては、フランジ部４４は、雄ねじ部４３の他端側端部に形成されている。本体４２の断面は、フランジ部４４よりも一端側が略円形に形成され、フランジ部４４よりも他端側が略正方形状に形成される。本実施形態においては、第２フルーツ用ピック４０におけるフランジ部４４から一端までの長さは、第１フルーツ用ピック３０におけるフランジ部３４から一端までの長さより短く、第２フルーツ用ピック４０におけるフランジ部４４から他端までの長さは、第１フルーツ用ピック３０におけるフランジ部３４から他端までの長さとほぼ同じである。本体４２の一端側には、先端に向かって細くなるよう形成されたフルーツ用縮径部４５が形成される。また、本体４２の他端側にも、先端に向かって細くなるよう形成された支持部材用縮径部４６が形成される。
【００２６】
図５に示すように、第３フルーツ用ピック５０は、本体５２の一端側の所定区間に形成された突条部５３を有する。本実施形態においては、突条部５３は、螺旋状に延びる突条が交叉することにより略網状に形成されている。本体５２の断面は、突条部５３の形成区間が略円形に形成され、突条部５３よりも他端側が略正方形状に形成される。本体５２の一端側には、先端に向かって細くなるよう形成されたフルーツ用縮径部５５が形成される。また、本体５２の他端側にも、先端に向かって細くなるよう形成された支持部材用縮径部５６が形成される。
【００２７】
図６に示すように、第４フルーツ用ピック６０は、本体６２の所定箇所に形成され径方向外側へ延びる突出部６３，６４を有する。突出部６３，６４は、第１フルーツ用ピック３０及び第２フルーツ用ピック４０のフランジ部３４，４４よりも径方向に小さい。本実施形態においては、突出部６３，６４は２箇所形成され、一端側の第１突出部６３は径方向に比較的小さく、他端側の第２突出部６４は径方向に比較的大きく形成される。本体６２の断面は、第２突出部６４よりも一端側が略十字状に形成され、第２突出部６４よりも他端側が略正方形状に形成される。本体６２の一端側には、先端に向かって細くなるよう形成されたフルーツ用縮径部６５が形成される。また、本体６２の他端側にも、先端に向かって細くなるよう形成された支持部材用縮径部６６が形成される。
【００２８】
図７は第１フルーツ用ピックにカットフルーツを固定する様子を示す説明図、図８は第２フルーツ用ピックにカットフルーツを固定する様子を示す説明図である。
ピックに対して比較的滑りやすいカットフルーツについては、雄ねじ部３３，４４が形成された第１フルーツ用ピック３０又は第２フルーツ用ピック４０が好適に用いられる。ピックに対して比較的滑りやすいカットフルーツとしては、例えば、比較的厚い皮がついていないもの、果肉の密度が比較的小さいもの、果肉に含まれる水分が比較的多いもの等が挙げられる。具体的には、例えば、ぶどう、イチゴ、キンカン、キウイ等が挙げられる。これらは、皮が比較的薄いため、皮むき処理の有無にかかわらず、雄ねじ部３３，４４が形成された第１フルーツ用ピック又は第２フルーツ用ピックが好適に用いられる。また、ピックに対して比較的滑りやすいカットフルーツとして、例えば、皮むきして所定形状に整えられたパイナップル、メロン、すいか等も挙げられる。図７には比較的滑りやすいカットフルーツＰとして皮むきされたパイナップルが示され、図８には比較的滑りやすいカットフルーツＧとしてぶどうが示されている。図７及び図８に示すように、比較的大きなカットフルーツＰ，Ｋについては雄ねじ部３３が比較的長尺の第１フルーツ用ピック３０を用い、比較的小さなカットフルーツＧについては雄ねじ部４３が比較的短尺の第２フルーツ用ピック４０が用いられる。尚、比較的小さなカットフルーツＧであっても複数並べる場合等には、比較的長尺の第１フルーツ用ピック３０が用いられる。
【００２９】
雄ねじ部３３，４３が形成されたフルーツ用ピック３０，４０へのカットフルーツＧ，Ｋ，Ｐの固定にあたっては、本体３２，４２の一端側先端をカットフルーツＧ，Ｋ，Ｐに接触させ、雄ねじ部３３，４３の締め付け方向に本体３２，４２を回転させる。これにより、雄ねじ部３３，４３をカットフルーツＧ，Ｋ，Ｐにねじ込ませ、本体３２，４２の一端側にカットフルーツＧ，Ｋ，Ｐを固定することができる。このとき、カットフルーツＧ，Ｋ，Ｐの果肉が損なわれることはない。本実施形態においては、本体３２，４２の一端側先端にはフルーツ用縮径部３５，４５が形成されているので、本体３２，４２の一端側をスムースにカットフルーツＧ，Ｋ，Ｐの内部へ導入することができる。また、本実施形態においては、フランジ部３４，４４にカットフルーツＧ，Ｋ，Ｐの表面を接触させることでカットフルーツＧ，Ｋ，Ｐが位置決めされる。このように、本実施形態のカットフルーツの盛り合わせ製品１００は、各フルーツ用ピック３０，４０の本体３２，４２を回転させ、雄ねじ部３３，４３をカットフルーツＧ，Ｋ，Ｐにねじ込む工程を経て製造される。
【００３０】
図９は第１フルーツ用ピックに固定されたカットフルーツの断面図である。図９には比較的滑りやすいカットフルーツＫとしててキウイが示されている。
図９に示すように、雄ねじ部３３，４３がカットフルーツＧ，Ｋ，Ｐに食い込んでいるので、フルーツ用ピック３０，４０とカットフルーツＧ，Ｋ，Ｐの接触面積が大きくなっている。特に本実施形態においては、カットフルーツＧ，Ｋ，Ｐの表面と接触するフランジ部３４，４４まで雄ねじ部３３，４３が形成されているので、カットフルーツＧ，Ｋ，Ｐにねじ込まれる雄ねじ部３３，４３の区間が比較的長く、接触面積がより大きくなっている。このように、雄ねじ部３３，４３にねじ込まれた状態でカットフルーツＧ，Ｋ，Ｐが固定されているので、雄ねじ部３３，４３によりカットフルーツＧ，Ｋ，Ｐの本体３２，４２の軸方向への移動が規制される。従って、振動等の負荷が加わった際に、フルーツ用ピック３０，４０に対するカットフルーツＧ，Ｋ，Ｐの移動を抑制することができる。
【００３１】
図１０は第３フルーツ用ピックにカットフルーツを固定する様子を示す説明図、図１１は第４フルーツ用ピックにカットフルーツを固定する様子を示す説明図である。ピックに対して比較的滑りにくいカットフルーツについては、雄ねじ部が形成されていない第３フルーツ用ピック５０又は第４フルーツ用ピック６０を用いることができる。尚、ピックに対して比較的滑りにくいカットフルーツについても、雄ねじ部３３，４４が形成されたフルーツ用ピックを用いてもよいことは勿論である。ピックに対して比較的滑りにくいカットフルーツとしては、例えば、比較的厚い皮がついているもの、果肉の密度が比較的大きいもの、果肉に含まれる水分が比較的少ないもの等があげられる。果肉自体がピックに対して比較的滑りにくいカットフルーツとして、例えば、りんご、バナナ、ブルーベリー等を挙げることができる。これらは、皮のない状態であっても、雄ねじ部が形成されていない第３フルーツ用ピック又は第４フルーツ用ピックを用いることができる。また、比較的厚い皮がついたカットフルーツとしては、例えば、皮付きのオレンジ、皮付きのグレープフルーツ、皮付きのメロン等を挙げることができる。
【００３２】
本実施形態においては、図１０に示すように、比較的厚い皮がついた状態のカットフルーツＯについては、突条部５３が形成された第３フルーツ用ピック５０が用いられる。図１０にはこのようなカットフルーツＯとしてオレンジを示している。突条部５３が形成された第３フルーツ用ピック５０へのカットフルーツＯの固定は、フルーツ用縮径部５５を利用してカットフルーツＯの一方の皮部分に本体５２の一端側を差し込み、一方の皮部分を貫通させた後、他方の皮部分と接触するまで本体５２をカットフルーツＯの果肉部分に差し入れることで行われる。
【００３３】
本実施形態においては、図１１に示すように果肉自体がピックに対して比較的滑りにくいカットフルーツＡについては、本体６２の一端側が略十字状に形成された第４フルーツ用ピック６０が用いられる。図１１にはこのようなカットフルーツＡとしてりんごを示している。本体６２の一端側が略十字状に形成された第４フルーツ用ピック６０へのカットフルーツＡの固定は、フルーツ用縮径部６５を利用してカットフルーツＡに一端を差し込むことで行われる。ここで、りんごは比較的実が締まっているので、本体６２を差し込むことで自然と固定される。
【００３４】
図１２は容器内の支持部に各フルーツ用ピックを固定する様子を示す説明図である。
図１２に示すように、一端にカットフルーツＡ，Ｇ，Ｋ，Ｏ，Ｐが固定された各フルーツ用ピック３０，４０，５０，６０は、容器１０内に配置された支持部材２０に固定される。支持部材２０への各フルーツ用ピック３０，４０，５０，６０の固定は、支持部材用縮径部３６，４６，５６，６６を利用して本体３２，４２，５２，６２の他端を支持部材２０に突き刺し、任意の深さまで本体３２，４２，５２，６２を支持部材２０に差し入れることで行われる。これにより、カットフルーツＡ，Ｇ，Ｋ，Ｏ，Ｐを、支持部材２０の上方において、任意の位置に任意の姿勢で固定することができる。
【００３５】
以上のように構成されたカットフルーツの盛り合わせ製品１００は、工場から出荷される際に、自動車等の車両を用いて運搬される。このとき、カットフルーツの盛り合わせ製品１００には車両から振動が加わるものの、第１フルーツ用ピック３０，４０に対するカットフルーツＧ，Ｋ，Ｐの相対的な軸方向の移動を抑制することができる。これにより、製品運搬時におけるカットフルーツＧ，Ｋ，Ｐの脱落を抑制することができる。すなわち、この作用効果は、カットフルーツの盛り合わせ製品１００の運搬にあたり、カットフルーツの盛り合わせ製品１００における各フルーツ用ピック３０，４０，５０，６０の少なくとも１つを雄ねじ部３３，３４が形成されたフルーツ用ピック３０，４０とし、当該フルーツ用ピック３０，４０に固定されるカットフルーツＧ，Ｋ，Ｐを当該フルーツ用ピック３０，４０の雄ねじ部３３，３４にねじ込ませた状態とすることにより得ることができる。
【００３６】
尚、前記実施形態においては、食物用ピックとしてフルーツ用ピックを例示したが、一端側に雄ねじ部が形成されたピックであれば、フルーツ以外の食物にも適用可能である
【００３７】
また、前記実施形態においては、フランジ部が雄ねじ部の他端側端部に形成されたフルーツ用ピックを示したが、フランジ部は雄ねじ部よりも他端側に形成されていればよい。
【００３８】
また、前記実施形態においては、各フルーツ用ピックの他端側が先端に向かって細くなるよう形成されているものを示したが、各フルーツ用ピックの他端側の形状は任意に変更することができる。例えば、前記実施形態においては、各フルーツ用ピックの他端側が支持部材に差し込まれるものを示したが、支持部として差し込み用の穴が予め形成されたものを用いれば、各フルーツ用ピックの他端側を先端に向かって細くなるよう形成する必要はない。
【００３９】
また、前記実施形態においては、カットフルーツの盛り合わせ製品における一部のフルーツ用ピックに雄ねじ部を形成したものを示したが、全てのフルーツ用ピックに雄ねじ部が形成されるようにしてもよい。すなわち、カットフルーツの盛り合わせ製品におけるフルーツ用ピックの少なくとも一つに雄ねじ部が形成されていればよい。
【００４０】
また、前記実施形態においては、支持部が内部に配置される容器を備えたカットフルーツの盛り合わせ製品に本発明を適用したものを示したが、支持部は容器内に配置されるものに限定されない。すなわち、複数の食物と、各食物が一端側に固定される複数の食物用ピックと、各食料用ピックの他端側を支持する支持部と、を備えた盛り合わせられた食物の支持構造であれば本発明を適用することが可能である。
【００４１】
以上、本発明の実施の形態を示したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００４２】
１０ 容器
１１ 本体
１２ 把持部
１３ カバー
２０ 支持部材
３０ 第１フルーツ用ピック
３２ 本体
３３ 雄ねじ部
３４ フランジ部
３５ フルーツ用縮径部
３６ 支持部材用縮径部
４０ 第２フルーツ用ピック
４２ 本体
４３ 雄ねじ部
４４ フランジ部
４５ フルーツ用縮径部
４６ 支持部材用縮径部
５０ 第３フルーツ用ピック
５２ 本体
５３ 突条部
５５ フルーツ用縮径部
５６ 支持部材用縮径部
６０ 第４フルーツ用ピック
６２ 本体
６３ 第１突出部
６４ 第２突出部
６５ フルーツ用縮径部
６６ 支持部材用縮径部
１００ カットフルーツの盛り合わせ製品
Ａ カットフルーツ
Ｇ カットフルーツ
Ｋ カットフルーツ
Ｏ カットフルーツ
Ｐ カットフルーツ
【図１】
2018064714.tif 000003
【図２】
2018064714.tif 000004
【図３】
2018064714.tif 000005
【図４】
2018064714.tif 000006
【図５】
2018064714.tif 000007
【図６】
2018064714.tif 000008
【図７】
2018064714.tif 000009
【図８】
2018064714.tif 000010
【図９】
2018064714.tif 000011
【図１０】
2018064714.tif 000012
【図１１】
2018064714.tif 000013
【図１２】
2018064714.tif 000014
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
複数のカットフルーツと、前記各カットフルーツが一端側に固定される複数のフルーツ用ピックと、前記各フルーツ用ピックの他端側を支持する支持部と、前記支持部が内部に配置される容器と、を備え、前記フルーツ用ピックが一端側を上向き、他端側を下向きとして配置されるカットフルーツの盛り合わせ製品の運搬方法であって、
前記各フルーツ用ピックの少なくとも一つを、棒状の本体と、前記本体の一端側に形成された雄ねじ部と、前記本体における前記雄ねじ部よりも他端側に形成され前記本体から径方向外側へ延びるフランジ部と、を備えたねじ有りフルーツ用ピックとし、
前記ねじ有りフルーツ用ピックに固定されるカットフルーツを、前記雄ねじ部にねじ込ませるとともに、前記フランジ部と接触させ、
車両による運搬時に振動が加わった際に、前記雄ねじ部により前記カットフルーツの上下方向の移動を抑制するとともに、前記フランジ部により前記カットフルーツの下方への移動を規制するカットフルーツの盛り合わせ製品の運搬方法。
【請求項２】
前記フランジ部は、前記雄ねじ部の他端側端部に形成される請求項１に記載のカットフルーツの盛り合わせ製品の運搬方法。
【請求項３】
前記各フルーツ用ピックの少なくとも一つを、一端側に雄ねじ部が形成されていない棒状の本体を備えたねじ無しフルーツ用ピックとし、
前記ねじ有りフルーツ用ピックに固定されるカットフルーツを、ピックに対して比較的滑りやすいカットフルーツとし、
前記ねじ無しフルーツ用ピックに固定されるカットフルーツを、ピックに対して比較的滑りにくいカットフルーツとした請求項１または２に記載のカットフルーツの盛り合わせ製品の運搬方法。
【請求項４】
前記ピックに対して比較的滑りやすいカットフルーツは、比較的厚い皮がついていないもの、果肉の密度が比較的小さいもの、または、果肉に含まれる水分が比較的多いものであり、
前記ピックに対して比較的滑りにくいカットフルーツは、比較的厚い皮がついているもの、果肉の密度が比較的大きいもの、または、果肉に含まれる水分が比較的少ないものである請求項３に記載のカットフルーツの盛り合わせ製品の運搬方法。
【請求項５】
複数のカットフルーツと、前記各カットフルーツが一端側に固定される複数のフルーツ用ピックと、前記各フルーツ用ピックの他端側を支持する支持部と、前記支持部が内部に配置される容器と、を備え、前記フルーツ用ピックが一端側を上向き、他端側を下向きとして配置されるカットフルーツの盛り合わせ製品であって、
前記各フルーツ用ピックの少なくとも一つは、棒状の本体と、前記本体の一端側に形成された雄ねじ部と、前記本体における前記雄ねじ部よりも他端側に形成され前記本体から径方向外側へ延びるフランジ部と、を備えたねじ有りフルーツ用ピックであり、
前記ねじ有りフルーツ用ピックに固定されるカットフルーツは、前記雄ねじ部にねじ込まれるとともに、前記フランジ部と接触するカットフルーツの盛り合わせ製品。
【請求項６】
前記フランジ部は、前記雄ねじ部の他端側端部に形成される請求項５に記載のカットフルーツの盛り合わせ製品。
【請求項７】
前記各フルーツ用ピックの少なくとも一つは、一端側に雄ねじ部が形成されていない棒状の本体を備えたねじ無しフルーツ用ピックであり、
前記ねじ有りフルーツ用ピックに固定されるカットフルーツは、ピックに対して比較的滑りやすいカットフルーツであり、
前記ねじ無しフルーツ用ピックに固定されるカットフルーツは、ピックに対して比較的滑りにくいカットフルーツである請求項５または６に記載のカットフルーツの盛り合わせ製品。
【請求項８】
前記ピックに対して比較的滑りやすいカットフルーツは、比較的厚い皮がついていないもの、果肉の密度が比較的小さいもの、または、果肉に含まれる水分が比較的多いものであり、
前記ピックに対して比較的滑りにくいカットフルーツは、比較的厚い皮がついているもの、果肉の密度が比較的大きいもの、または、果肉に含まれる水分が比較的少ないものである請求項７に記載のカットフルーツの盛り合わせ製品。